(57)【特許請求の範囲】
【請求項１】
第１出力端子と、
第２出力端子と、
高周波信号に基づき第１出力端子及び第２出力端子から略同一レベルの信号が出力される分配出力状態を含み、かつ、高周波信号に基づき第２出力端子から第１出力端子よりも低いレベルの分岐出力が行われる分岐出力状態と、高周波信号に基づき第２出力端子から第１出力端子よりも低いレベルのモニタ出力が行われるモニタ出力状態との少なくともいずれかを含む複数の出力状態を切替える切替え手段と、を備え、
前記切替え手段は、前記分配出力状態を含み、かつ前記モニタ出力状態及び前記分岐出力状態のいずれをも含む三つの出力状態を切替え、
分配手段と、分岐手段と、直流重畳手段と、直流阻止手段と、減衰手段と、第１ダイオードと、第２ダイオードと、をさらに備え、
前記切替え手段は、第１接点から第８接点までの接点を有し、第１接点は第２接点、第３接点及び第４接点のいずれかに接続を切替えられ、第５接点は第６接点、第７接点及び第８接点のいずれかに接続を切替えられる切替スイッチであり、
前記直流重畳手段により直流成分を重畳された高周波信号は第１接点に入力され、第５接点は第１出力端子に接続され、
第１接点と第２接点が接続されると共に第５接点と第６接点が接続されるよう前記切替スイッチが切替えられた場合、高周波信号が、第１接点及び第２接点を介して前記分配手段に入力されて等分された出力レベルに分配され、一方の分配端が第６接点及び第５接点を介して第１出力端子から出力され、他方の分配端が直流成分の供給によりオンとなった第２ダイオードを介して第２出力端子から出力される前記分配出力状態となり、
第１接点と第３接点が接続されると共に第５接点と第７接点が接続されるよう前記切替スイッチが切替えられた場合、高周波信号が、第１接点及び第３接点を介して前記直流阻止手段に入力され、前記直流阻止手段により直流成分をカットされた高周波信号が前記分岐手段に入力されて幹線出力と分岐出力に分けられ、幹線出力が第７接点及び第５接点を介して第１出力端子から出力され、分岐出力が前記減衰手段に入力されて前記減衰手段により減衰されて第２出力端子から出力される前記モニタ出力状態となり、
第１接点と第４接点が接続されると共に第５接点と第８接点が接続されるよう前記切替スイッチが切替えられた場合、高周波信号が、第１接点及び第４接点を介し前記直流阻止手段は介さずに前記分岐手段に入力されて幹線出力と分岐出力に分けられ、幹線出力が第８接点及び第５接点を介して第１出力端子から出力され、分岐出力が直流成分の供給によりオンとなった第１ダイオードを介して第２出力端子から出力される前記分岐出力状態となる、ことを特徴とする高周波機器。
【発明の詳細な説明】
【技術分野】
【０００１】
本発明は、高周波信号を処理する高周波機器、特には高周波信号を増幅するブースターに関する。
【背景技術】
【０００２】
従来、ＣＡＴＶ（ケーブルテレビ）信号やＢＳ／ＣＳ信号等の増幅にブースターが用いられる。ブースターの設置時には分岐器や分配器が共に設置されることがあった。従来のブースター等の設置例を図６に示す。
【０００３】
図６に示す従来のブースター５００は、増幅した高周波信号を出力端子５００ａから出力する。図６（ａ）では、出力端子５００ａに１分岐器５０１が接続され、１分岐器５０１は出力端子５００ａから出力される信号を高出力レベル（幹線出力）と一つの低出力レベル（分岐出力）に分けて各々出力する。高出力レベルの信号は、１分岐器５０１に接続された８分配器５０２により等分された８つの出力レベルに分配されて各々出力される。また、図５（ｂ）では、出力端子５００ａに２分配器５０３が接続され、出力端子５００ａから出力される信号は２分配器５０３により等分された２つの出力レベルに分配されて各々出力される。
【０００４】
このように従来、ブースターの設置時に分岐器や分配器を設置する場合、設置作業の負担が大きいという問題があった。そこで、例えば特許文献１の第５図には、分岐器により増幅された信号を一つの高出力レベル（幹線出力）の信号と４つの低出力レベル（分岐出力）の信号に各々出力する４分岐機能と、増幅された信号を等分された４つの出力レベルに分配して各々出力する４分配機能とを切替スイッチにより切替え可能なブースターが示されている。これにより、ブースターの設置時に分岐器または分配器を省くことが可能となり、設置作業は容易となる。
【先行技術文献】
【特許文献】
【０００５】
【特許文献１】特開２００１−２８５６６７号公報（第５図、第７図、第１０図）
【発明の概要】
【発明が解決しようとする課題】
【０００６】
しかしながら、上記特許文献１の第５図に示されたブースターでは、４分配機能に切替えた場合に、一つの出力端子が使用されない空き端子となり、出力端子を有効に利用しているとは言えなかった。同様の問題は、特許文献１の第７図及び第１０図に示されたブースターにも言えることである。
【０００７】
上記問題点に鑑み、本発明は、出力機能を切替えた場合に空き端子の出力端子を生じさせず、出力端子の有効利用を図ることができる高周波機器を提供することを目的とする。
【課題を解決するための手段】
【０００８】
上記目的を達成するために本発明の高周波機器は、
第１出力端子と、
第２出力端子と、
高周波信号に基づき第１出力端子及び第２出力端子から略同一レベルの信号が出力される分配出力状態を含み、かつ、高周波信号に基づき第２出力端子から第１出力端子よりも低いレベルの分岐出力が行われる分岐出力状態と、高周波信号に基づき第２出力端子から第１出力端子よりも低いレベルのモニタ出力が行われるモニタ出力状態との少なくともいずれかを含む複数の出力状態を切替える切替え手段と、を備える構成とする。
【０００９】
このような構成によれば、切替え手段により出力状態を切替えた場合、第１出力端子及び第２出力端子のいずれも空き端子とならずに出力端子の有効利用を図ることができる。
【００１０】
また、上記構成において、前記切替え手段は、前記分配出力状態を含み、かつ前記モニタ出力状態及び前記分岐出力状態のいずれをも含む三つの出力状態を切替える構成としてもよい。
【００１１】
また、上記構成において、分配手段と、分岐手段と、直流重畳手段と、直流阻止手段と、減衰手段と、第１ダイオードと、第２ダイオードと、をさらに備え、
前記切替え手段は、第１接点から第８接点までの接点を有し、第１接点は第２接点、第３接点及び第４接点のいずれかに接続を切替えられ、第５接点は第６接点、第７接点及び第８接点のいずれかに接続を切替えられる切替スイッチであり、
前記直流重畳手段により直流成分を重畳された高周波信号は第１接点に入力され、第５接点は第１出力端子に接続され、
第１接点と第２接点が接続されると共に第５接点と第６接点が接続されるよう前記切替スイッチが切替えられた場合、高周波信号が、第１接点及び第２接点を介して前記分配手段に入力されて等分された出力レベルに分配され、一方の分配端が第６接点及び第５接点を介して第１出力端子から出力され、他方の分配端が直流成分の供給によりオンとなった第２ダイオードを介して第２出力端子から出力される前記分配出力状態となり、
第１接点と第３接点が接続されると共に第５接点と第７接点が接続されるよう前記切替スイッチが切替えられた場合、高周波信号が、第１接点及び第３接点を介して前記直流阻止手段に入力され、前記直流阻止手段により直流成分をカットされた高周波信号が前記分岐手段に入力されて幹線出力と分岐出力に分けられ、幹線出力が第７接点及び第５接点を介して第１出力端子から出力され、分岐出力が前記減衰手段に入力されて前記減衰手段により減衰されて第２出力端子から出力される前記モニタ出力状態となり、
第１接点と第４接点が接続されると共に第５接点と第８接点が接続されるよう前記切替スイッチが切替えられた場合、高周波信号が、第１接点及び第４接点を介し前記直流阻止手段は介さずに前記分岐手段に入力されて幹線出力と分岐出力に分けられ、幹線出力が第８接点及び第５接点を介して第１出力端子から出力され、分岐出力が直流成分の供給によりオンとなった第１ダイオードを介して第２出力端子から出力される前記分岐出力状態となる構成としてもよい。
【００１２】
また、上記構成において、第１減衰手段と、第２減衰手段と、分配手段と、をさらに備え、
前記切替え手段は、第１接点から第８接点までの接点を有し、第１接点は第２接点、第３接点及び第４接点のいずれかに接続を切替えられ、第５接点は第６接点、第７接点及び第８接点のいずれかに接続を切替えられる切替スイッチであり、
高周波信号は第１接点に入力され、第５接点は第１出力端子に接続され、
第１接点と第２接点が接続されると共に第５接点と第６接点が接続されるよう前記切替スイッチが切替えられた場合、高周波信号が、第１接点、第２接点、第６接点及び第５接点を介して第１出力端子から出力されると共に、第１減衰手段により減衰されて第２出力端子から出力される前記モニタ出力状態となり、
第１接点と第３接点が接続されると共に第５接点と第７接点が接続されるよう前記切替スイッチが切替えられた場合、高周波信号が、第１接点、第３接点、第７接点及び第５接点を介して第１出力端子から出力されると共に、第１接点及び第３接点を介して第２減衰手段に出力されて第２減衰手段により減衰されて第２出力端子から出力される前記分岐出力状態となり、
第１接点と第４接点が接続されると共に第５接点と第８接点が接続されるよう前記切替スイッチが切替えられた場合、高周波信号が、第１接点及び第４接点を介して前記分配手段に入力されて等分された出力レベルに分配され、一方が第８接点及び第５接点を介して第１出力端子から出力され、他方が第２出力端子から出力される前記分配出力状態となる構成としてもよい。
【発明の効果】
【００１３】
本発明の高周波機器によれば、出力機能を切替えた場合に空き端子の出力端子を生じさせず、出力端子の有効利用を図ることができる。
【図面の簡単な説明】
【００１４】
【図１Ａ】本発明の第１実施形態に係るブースターの概略構成を示す図である。
【図１Ｂ】本発明の第１実施形態に係るブースターの概略構成を示す図である。
【図１Ｃ】本発明の第１実施形態に係るブースターの概略構成を示す図である。
【図２】本発明の第２実施形態に係るブースターの概略構成を示す図である。
【図３】本発明の第３実施形態に係るブースターの概略構成を示す図である。
【図４】本発明の第４実施形態に係るブースターの概略構成を示す図である。
【図５】本発明の第５実施形態に係るブースターの概略構成を示す図である。
【図６】従来のブースター等の設置例を示す図である。
【発明を実施するための形態】
【００１５】
本発明の実施形態について図面を参照して以下に説明する。
【００１６】
（第１実施形態）
本発明の第１実施形態に係るブースターの概略構成を図１Ａ〜図１Ｃに示す。なお、図１Ａ〜図１Ｃは、同一のブースターを示すが、後述する切替スイッチ２０の切替状態が異なっている。図１Ａ〜図１Ｃに示すブースター５０は、入力端子Ｔ１と、第１出力端子Ｔ２と、第２出力端子Ｔ３と、アンプＡＰと、切替スイッチ２０と、分岐器２１と、分配器２２と、モニタ用アッテネータ（Attenuator）２３と、高周波阻止コイルＬ１１と、コイルＬ１２と、コンデンサＣ１０〜Ｃ１９と、抵抗Ｒ１及びＲ２と、ダイオードＤ１０及びＤ１１と、を備えている。
【００１７】
高周波信号が入力される入力端子Ｔ１は、アンプＡＰの入力端に接続される。アンプＡＰの出力端は、直流阻止用のコンデンサＣ１９の一端に接続される。コンデンサＣ１９の他端は、高周波阻止コイルＬ１１を介した直流電源Ｖｃｃと、切替スイッチ２０に含まれる接点２０ａに共通接続される。
【００１８】
切替スイッチ２０は、双極３投（２回路３接点）スイッチであり、接点２０ａ〜２０ｈを有している。接点２０ａは、接点２０ｂ、２０ｃ及び２０ｄのいずれかに接続を切替えられる。接点２０ｅは、接点２０ｆ、２０ｇ及び２０ｈのいずれかに接続を切替えられる。接点２０ａ側の切り替えと接点２０ｅ側の切り替えは連動している。
【００１９】
接点２０ｂは、コイルＬ１２、コンデンサＣ１０及びコンデンサＣ１１から構成されるインピーダンス調整回路の入力端に接続される。そのインピーダンス調整回路の出力端には、入力信号を等分された出力レベルに分配して各々出力する分配器２２が接続される。分配器２２の一方の出力端は接点２０ｆが接続され、他方の出力端はダイオードＤ１１のアノードに接続される。
【００２０】
接点２０ｅは、コンデンサＣ１７の一端に接続される。コンデンサＣ１７の他端は、第１出力端子Ｔ２に接続される。
【００２１】
接点２０ｃは、直流阻止用のコンデンサＣ１２の一端に接続される。コンデンサＣ１２の他端は、接点２０ｄと分岐器２１の入力端に共通接続される。
【００２２】
分岐器２１は、入力信号を高出力レベルの幹線出力と、低出力レベルの分岐出力（例えば−１２ｄＢ）とに各々出力する。分岐器２１には、分岐器２１を機能させるためのコンデンサＣ１３が接続されると共に、アイソレーションを取るためのコンデンサＣ１４及び抵抗Ｒ１が接続される。
【００２３】
分岐器２１の幹線出力側の出力端には、接点２０ｈと接点２０ｇが共通接続される。一方、分岐器２１の分岐出力側の出力端には、コンデンサＣ１５の一端とダイオードＤ１０のアノードが共通接続される。
【００２４】
コンデンサＣ１５の他端には、モニタ用アッテネータ２３の入力端に接続される。モニタ用アッテネータ２３は、入力信号をモニタ出力用の減衰率で減衰させる減衰器である（例えば、−８ｄＢ減衰させる）。モニタ用アッテネータ２３の出力端はコンデンサＣ１６の一端に接続される。
【００２５】
ダイオードＤ１０のカソードとダイオードＤ１１のカソードは共通接続され、その共通接続点はコンデンサＣ１６の他端に接続される。さらに、その接続点は、抵抗Ｒ２の一端とコンデンサＣ１８の一端に接続される。抵抗Ｒ２の他端は接地されている。コンデンサＣ１８の他端は、第２出力端子Ｔ３に接続される。
【００２６】
接点２０ａが２０ｃに接続されると共に接点２０ｅが２０ｇに接続されるように切替スイッチ２０が切替えられた場合（図１Ａ）、アンプＡＰにより増幅されて直流電源Ｖｃｃにより直流成分が重畳された高周波信号は、接点２０ａ及び２０ｃを介して直流阻止用のコンデンサＣ１２に入力され、コンデンサＣ１２により直流成分をカットされる。直流成分をカットされた高周波信号は、分岐器２１に入力され、幹線出力と分岐出力に各々出力される。幹線出力は、接点２０ｇ及び２０ｅ、及びコンデンサＣ１７を介して第１出力端子Ｔ２から出力される。一方、分岐出力の直流成分がカットされているのでダイオードＤ１０はオフとなり（ダイオードＤ１１もオフ）、コンデンサＣ１５を介して分岐出力はモニタ用アッテネータ２３に入力され、減衰されてコンデンサＣ１６及びＣ１８を介して第２出力端子Ｔ３から出力される。例えば分岐器２１での分岐出力が−１２ｄＢで、モニタ用アッテネータ２３での減衰が−８ｄＢである場合は、第２出力端子Ｔ３からのモニタ出力は、第１出力端子Ｔ２からの幹線出力に比して−２０ｄＢ低いレベルとなる。
【００２７】
接点２０ａが２０ｂに接続されると共に接点２０ｅが２０ｆに接続されるように切替スイッチ２０が切替えられた場合（図１Ｂ）、アンプＡＰにより増幅されて直流電源Ｖｃｃにより直流成分が重畳された高周波信号は、接点２０ａ及び２０ｂを介してインピーダンス調整回路に入力される。インピーダンス調整回路を通過した高周波信号は、分配器２２に入力され、分配器２２によって等分された出力レベルに２分配されて接点２０ｆ側とダイオードＤ１１側に出力される。接点２０ｆ側に出力された信号は、接点２０ｆ及び２０ｅを介してコンデンサＣ１７に入力され、コンデンサＣ１７により直流成分をカットされた後、第１出力端子Ｔ２から出力される。一方、ダイオードＤ１１側に出力された信号には直流成分が重畳されているのでダイオードＤ１１はオンとなり（ダイオードＤ１０はオフ）、ダイオードＤ１１側に出力された信号は、コンデンサＣ１８により直流成分をカットされた後、第２出力端子Ｔ３から出力される。第１出力端子Ｔ２と第２出力端子Ｔ３の出力レベルは同一となり、即ち第１出力端子Ｔ２と第２出力端子Ｔ３は２分配出力となる。
【００２８】
接点２０ａが２０ｄに接続されると共に接点２０ｅが２０ｈに接続されるように切替スイッチ２０が切替えられた場合（図１Ｃ）、アンプＡＰにより増幅されて直流電源Ｖｃｃにより直流成分が重畳された高周波信号は、接点２０ａ及び２０ｄを介して（直流阻止用のコンデンサＣ１２は介さずに）分岐器２１に入力され、幹線出力と分岐出力に各々出力される。幹線出力は、接点２０ｈ及び２０ｅを介してコンデンサＣ１７に入力され、コンデンサＣ１７により直流成分がカットされた後、第１出力端子Ｔ２から出力される。一方、分岐出力には直流成分が重畳されているのでダイオードＤ１０がオンとなり（ダイオードＤ１１はオフ）、分岐出力は、ダイオードＤ１０を介してコンデンサＣ１８に入力され、コンデンサＣ１８により直流成分をカットされた後、第２出力端子Ｔ３から出力される。例えば分岐器２１での分岐出力が−１２ｄＢである場合は、第２出力端子Ｔ３からの分岐出力は、第１出力端子Ｔ２からの幹線出力に比して−１２ｄＢ低いレベルとなる。なお、ダイオードＤ１０を介した信号とモニタ用アッテネータ２３を介した信号とが合成されるが、第２出力端子Ｔ３から見たときにモニタ用アッテネータ２３側がインピーダンスが高いため、ほぼダイオードＤ１０側からしか信号は出力されない。
【００２９】
このように本発明の第１実施形態に係るブースター５０によれば、切替スイッチ２０を切替えた場合に、第１出力端子Ｔ２が高出力で第２出力端子Ｔ３がモニタ出力となる出力状態か、第１出力端子Ｔ２と第２出力端子Ｔ３が２分配出力となる出力状態か、第１出力端子Ｔ２が高出力で第２出力端子Ｔ３が分岐出力となる出力状態かが切替えられる。従って、第１出力端子Ｔ２及び第２出力端子Ｔ３のいずれの端子も空き端子とならずに出力端子を有効利用できる。また、ブースター５０の設置時に外部の分配器または分岐器を省くことが可能となり、設置作業を容易にすることもできる。
【００３０】
（第２実施形態）
本発明の第２実施形態に係るブースターの概略構成を図２に示す。図２に示すブースター１００は、入力端子Ｔ１と、第１出力端子Ｔ２と、第２出力端子Ｔ３と、切替スイッチ１と、アッテネータ２と、分配器３と、コンデンサＣ１、Ｃ２及びＣ２０と、アンプＡＰとを備えている。
【００３１】
高周波信号が入力される入力端子Ｔ１は、アンプＡＰの入力端に接続される。アンプＡＰの出力端は、コンデンサＣ２０の一端に接続される。コンデンサＣ２０の他端は、アッテネータ２の入力端と切替スイッチ１に含まれる接点１ａに共通接続される。アッテネータ２は、入力信号を所定の減衰率で減衰させる減衰器である。なお、所定の減衰率は、分岐出力用の減衰率とするか、モニタ出力用の減衰率とする。モニタ出力は分岐出力よりも信号レベルが低い（例えばモニタ出力＝−２０ｄＢ、分岐出力＝−１２ｄＢ）。
【００３２】
切替スイッチ１は、双極双投（２回路２接点）スイッチであり、接点１ａ〜１ｆを有している。接点１ａは、接点１ｂまたは１ｃに接続を切替えられる。接点１ｄは、接点１ｅまたは１ｆに接続を切替えられる。接点１ａ側の切り替えと接点１ｄ側の切り替えは連動している。接点１ｂと１ｅは短絡されている。接点１ｃは、入力信号を等分された出力レベルに分配して各々出力する分配器３の入力端に接続される。分配器３の一方の出力端は接点１ｆに接続される。分配器３の他方の出力端は、アッテネータ２の出力端とコンデンサＣ２の一端に共通接続される。コンデンサＣ２の他端は、第２出力端子Ｔ３に接続される。
【００３３】
接点１ｄはコンデンサＣ１の一端に接続される。コンデンサＣ１の他端は、第１出力端子Ｔ２に接続される。
【００３４】
接点１ａが１ｂに接続されると共に接点１ｄが１ｅに接続されるように切替スイッチ１が切替えられた場合、アンプＡＰにより増幅された高周波信号は、接点１ａ、１ｂ、１ｅ及び１ｄ、及びコンデンサＣ１を介して第１出力端子Ｔ２から出力される。また、アンプＡＰにより増幅された高周波信号は、アッテネータ２により減衰された後、コンデンサＣ２を介して第２出力端子Ｔ３から出力される。これにより、第２出力端子Ｔ３は、第１出力端子Ｔ２より出力レベルが低い分岐出力またはモニタ出力となる。
【００３５】
一方、接点１ａが１ｃに接続されると共に接点１ｄが１ｆに接続されるように切替スイッチ１が切替えられた場合、アンプＡＰにより増幅された高周波信号は、接点１ａ及び１ｃを介して分配器３に入力され、分配器３により等分された出力レベルに分配されて接点１ｆ側と第２出力端子Ｔ３側に出力される。接点１ｆ側に出力された信号は、接点１ｄよりコンデンサＣ１を介して第１出力端子Ｔ２から出力される。また、第２出力端子Ｔ３から見るとアッテネータ２側がインピーダンスが高いため、ほぼ分配器３からの出力信号のみがコンデンサＣ２を介して第２出力端子Ｔ３から出力される。これにより、第１出力端子Ｔ２と第２出力端子Ｔ３の出力レベルはほぼ同一となる。即ち、第１出力端子Ｔ２と第２出力端子Ｔ３は２分配出力となる。
【００３６】
このように本発明の第２実施形態に係るブースター１００によれば、切替スイッチ１を切替えた場合に、第１出力端子Ｔ２が高出力で第２出力端子Ｔ３が低出力である分岐出力またはモニタ出力となる出力状態か、第１出力端子Ｔ２と第２出力端子Ｔ３が２分配出力となる出力状態かが切替えられる。従って、第１出力端子Ｔ２及び第２出力端子Ｔ３のいずれの端子も空き端子とならずに出力端子を有効利用できる。また、ブースター１００の設置時に外部の分配器または分岐器を省くことが可能となり、設置作業を容易にすることもできる。
【００３７】
（第３実施形態）
本発明の第３実施形態に係るブースターの概略構成を図３に示す。図３に示すブースター２００は、入力端子Ｔ１と、第１出力端子Ｔ２と、第２出力端子Ｔ３と、切替スイッチ４と、分配器５と、アッテネータ６と、コンデンサＣ１、Ｃ２及びＣ２１と、アンプＡＰと、を備えている。
【００３８】
高周波信号が入力される入力端子Ｔ１は、アンプＡＰの入力端に接続される。アンプＡＰの出力端は、コンデンサＣ２１の一端に接続される。コンデンサＣ２１の他端は、分配器５の入力端に接続される。切替スイッチ４は、双極双投スイッチであり、接点４ａ〜４ｆを有している。接点４ａは、接点４ｂまたは４ｃに接続を切替えられる。接点４ｄは、接点４ｅまたは４ｆに接続を切替えられる。接点４ａ側の切り替えと接点４ｄ側の切り替えは連動している。分配器５の一方の出力端は接点４ａに接続され、分配器５の他方の出力端は接点４ｄに接続される。接点４ｂと４ｅは短絡されている。
【００３９】
接点４ｅは、アッテネータ６の入力端に接続される。アッテネータ６の減衰率は、分岐出力用の減衰率またはモニタ出力用の減衰率とする。接点４ｃとアッテネータ６の出力端はコンデンサＣ２の一端に共通接続される。コンデンサＣ２の他端は、第２出力端子Ｔ３に接続される。
【００４０】
接点４ｄはコンデンサＣ１の一端に接続される。コンデンサＣ１の他端は、第１出力端子Ｔ２に接続される。
【００４１】
接点４ａが４ｂに接続されると共に接点４ｄが４ｅに接続されるように切替スイッチ４が切替えられた場合、アンプＡＰにより増幅された高周波信号は、分配器５により等分された出力レベルに分配されて接点４ａ側及び４ｄ側に出力される。そして、接点４ｂと接点４ｅを介して分割された信号が合成され、接点４ｄ及びコンデンサＣ１を介して第１出力端子Ｔ２から出力されると共に接点４ｅを介してアッテネータ６に出力される。アッテネータ６により減衰された信号は、コンデンサＣ２を介して第２出力端子Ｔ３から出力される。これにより、第２出力端子Ｔ３は、第１出力端子Ｔ２よりも出力レベルが低い分岐出力またはモニタ出力となる。
【００４２】
一方、接点４ａが４ｃに接続されると共に接点４ｄが４ｆに接続されるように切替スイッチ４が切替えられた場合、アンプＡＰにより増幅された高周波信号は、分配器５により等分された出力レベルに分配されて接点４ａ側及び４ｄ側に出力され、接点４ａ及び４ｃ、コンデンサＣ２を介して第２出力端子Ｔ３から出力されると共に接点４ｄよりコンデンサＣ１を介して第１出力端子Ｔ２から出力される。これにより、第１出力端子Ｔ２と第２出力端子Ｔ３は２分配出力となる。
【００４３】
このように本発明の第３実施形態に係るブースター２００によれば、切替スイッチ４を切替えた場合に、第１出力端子Ｔ２が高出力で第２出力端子Ｔ３が低出力である分岐出力またはモニタ出力となる出力状態か、第１出力端子Ｔ２と第２出力端子Ｔ３が２分配出力となる出力状態かが切替えられる。従って、第１出力端子Ｔ２及び第２出力端子Ｔ３のいずれの端子も空き端子とならずに出力端子を有効利用できる。また、ブースター２００の設置時に外部の分配器または分岐器を省くことが可能となり、設置作業を容易にすることもできる。
【００４４】
（第４実施形態）
本発明の第４実施形態に係るブースターの概略構成を図４に示す。図４に示すブースター３００は、入力端子Ｔ１と、第１出力端子Ｔ２と、第２出力端子Ｔ３と、分配器７と、切替スイッチ８と、アッテネータ９と、コンデンサＣ３〜Ｃ９と、高周波阻止コイルＬ３と、ダイオードＤ１と、アンプＡＰと、抵抗Ｒ３とを備えている。
【００４５】
高周波信号が入力される入力端子Ｔ１は、アンプＡＰの入力端に接続される。アンプＡＰの出力端は、分配器７の入力端に接続される。切替スイッチ８は、双極双投スイッチであり、接点８ａ〜８ｆを有している。接点８ａは、接点８ｂまたは８ｃに接続を切替えられる。接点８ｄは、接点８ｅまたは８ｆに接続を切替えられる。接点８ａ側の切り替えと接点８ｄ側の切り替えは連動している。分配器７の一方の出力端は、直列接続された直流カット用のコンデンサＣ３と直流カット用のコンデンサＣ４とを介して接点８ｂに接続される。分配器７の他方の出力端は、直列接続された直流カット用のコンデンサＣ５と直流カット用のコンデンサＣ６とを介して接点８ｅに接続される。
【００４６】
接点８ａはコンデンサＣ８の一端に接続される。接点８ａとコンデンサＣ８の共通接続点に直流電源Ｖｃｃが高周波阻止コイルＬ３を介して接続される。コンデンサＣ８の他端は、第１出力端子Ｔ２に接続される。
【００４７】
コンデンサＣ５とコンデンサＣ６の共通接続点にダイオードＤ１のカソードが接続されると共に、一端が接地された抵抗Ｒ３が接続される。ダイオードＤ１のアノードは、コンデンサＣ３とコンデンサＣ４の共通接続点に接続され、その接続点は接点８ｃ及び直流カット用のコンデンサＣ７の一端に共通接続される。コンデンサＣ７の他端はアッテネータ９の入力端に接続される。アッテネータ９の出力端は接点８ｆに接続される。なお、アッテネータ９の減衰率は、分岐出力用の減衰率またはモニタ出力用の減衰率とする。
【００４８】
接点８ｄはコンデンサＣ９の一端に接続される。コンデンサＣ９の他端は、第２出力端子Ｔ３に接続される。
【００４９】
接点８ａが８ｂに接続されると共に接点８ｄが８ｅに接続されるように切替スイッチ８が切替えられた場合、ダイオードＤ１は順方向電圧が印加されないのでオフとなる。アンプＡＰにより増幅された高周波信号は、分配器７により等分された出力レベルに分配されてコンデンサＣ３側及びコンデンサＣ５側に各々出力される。コンデンサＣ３側に出力された信号は、コンデンサＣ４、接点８ｂ及び８ａ、コンデンサＣ８を介して第１出力端子Ｔ２から出力される。一方、コンデンサＣ５側に出力された信号は、コンデンサＣ６、接点８ｅ及び８ｄ、コンデンサＣ９を介して第２出力端子Ｔ３から出力される。これにより、第１出力端子Ｔ２と第２出力端子Ｔ３は２分配出力となる。
【００５０】
接点８ａが８ｃに接続されると共に接点８ｄが８ｆに接続されるように切替スイッチ８が切替えられた場合、直流電源ＶｃｃによりダイオードＤ１に順方向電圧が印加されるので、ダイオードＤ１はオンとなる。これにより、分配器７からコンデンサＣ５側に出力された信号は、分配器７からコンデンサＣ３側に出力された信号と合成され、コンデンサＣ７を介してアッテネータ９に入力される。アッテネータ９により減衰された信号は、接点８ｆ及び８ｄ、コンデンサＣ９を介して第２出力端子Ｔ３から出力される。一方、上記合成された信号は、接点８ｃ及び８ａ、コンデンサＣ８を介して第１出力端子Ｔ２に出力もされる。これにより、第２出力端子Ｔ３は、第１出力端子Ｔ２よりも出力レベルが低い分岐出力またはモニタ出力となる。
【００５１】
このように本発明の第４実施形態に係るブースター３００によれば、切替スイッチ８を切替えた場合に、第１出力端子Ｔ２が高出力で第２出力端子Ｔ３が低出力である分岐出力またはモニタ出力となる出力状態か、第１出力端子Ｔ２と第２出力端子Ｔ３が２分配出力となる出力状態かが切替えられる。従って、第１出力端子Ｔ２及び第２出力端子Ｔ３のいずれの端子も空き端子とならずに出力端子を有効利用できる。また、ブースター３００の設置時に外部の分配器または分岐器を省くことが可能となり、設置作業を容易にすることもできる。
【００５２】
（第５実施形態）
本発明の第５実施形態に係るブースターの概略構成を図５に示す。図５に示すブースター４００は、入力端子Ｔ１と、第１出力端子Ｔ２と、第２出力端子Ｔ３と、モニタ用アッテネータ１０と、分岐用アッテネータ１１と、切替スイッチ１２と、分配器１３と、コンデンサＣ１、Ｃ２及びＣ２２と、アンプＡＰと、を備えている。
【００５３】
高周波信号が入力される入力端子Ｔ１は、アンプＡＰの入力端に接続される。アンプＡＰの出力端は、コンデンサＣ２２の一端に接続される。コンデンサＣ２２の他端は、モニタ用アッテネータ１０の入力端と切替スイッチ１２に含まれる接点１２ａに共通接続される。モニタ用アッテネータ１０は、モニタ出力用の減衰率で入力信号を減衰させる減衰器である。切替スイッチ１２は、双極３投（２回路３接点）スイッチであり、接点１２ａ〜１２ｈを有している。接点１２ａは、接点１２ｂ、１２ｃ及び１２ｄのいずれかに接続を切替えられる。接点１２ｅは、接点１２ｆ、１２ｇ及び１２ｈのいずれかに接続を切替えられる。接点１２ａ側の切り替えと接点１２ｅ側の切り替えは連動している。
【００５４】
接点１２ｂと接点１２ｆは短絡されている。接点１２ｃと接点１２ｇも短絡されており、それらの共通接続点は分岐用アッテネータ１１の入力端に接続される。分岐用アッテネータ１１は、分岐出力用の減衰率で入力信号を減衰させる減衰器である。
【００５５】
接点１２ｄは分配器１３の入力端に接続される。分配器１３の一方の出力端は接点１２ｈに接続される。モニタ用アッテネータ１０の出力端と分岐用アッテネータ１１の出力端と分配器１３の他方の出力端は、コンデンサＣ２の一端に共通接続される。コンデンサＣ２の他端は、第２出力端子Ｔ３に接続される。
【００５６】
接点１２ｅはコンデンサＣ１の一端に接続される。コンデンサＣ１の他端は、第１出力端子Ｔ２に接続される。
【００５７】
接点１２ａが１２ｂに接続されると共に接点１２ｅが１２ｆに接続されるように切替スイッチ１２が切替えられた場合、アンプＡＰにより増幅された高周波信号は、接点１２ａ、１２ｂ、１２ｆ及び１２ｅ、コンデンサＣ１を介して第１出力端子Ｔ２から出力される。また、アンプＡＰにより増幅された高周波信号は、モニタ用アッテネータ１０により減衰された後、コンデンサＣ２を介して第２出力端子Ｔ３から出力される。これにより、第２出力端子Ｔ３は、第１出力端子Ｔ２より出力レベルが低いモニタ出力となる。
【００５８】
接点１２ａが１２ｃに接続されると共に接点１２ｅが１２ｇに接続されるように切替スイッチ１２が切替えられた場合、アンプＡＰにより増幅された高周波信号は、接点１２ａ、１２ｃ、１２ｇ及び１２ｅ、コンデンサＣ１を介して第１出力端子Ｔ２から出力される。また、接点１２ｃから分岐用アッテネータ１１へ出力された信号は、分岐用アッテネータ１１により減衰された後、モニタ用アッテネータ１０により減衰された信号と合成され、コンデンサＣ２を介して第２出力端子Ｔ３から出力される。これにより、第２出力端子Ｔ３は、第１出力端子Ｔ２より出力レベルが低い分岐出力となる。
【００５９】
接点１２ａが１２ｄに接続されると共に接点１２ｅが１２ｈに接続されるように切替スイッチ１２が切替えられた場合、アンプＡＰにより増幅された高周波信号は、分配器１３により等分された出力レベルに分配されて接点１２ｈ側とコンデンサＣ２側に各々出力される。コンデンサＣ２側に出力された信号は、途中、モニタ用アッテネータ１０により減衰された信号と合成され、コンデンサＣ２を介して第２出力端子Ｔ３から出力される。一方、接点１２ｈ側に出力された信号は、接点１２ｈ及び１２ｅ、コンデンサＣ１を介して第１出力端子Ｔ２から出力される。モニタ用アッテネータ１０により減衰された信号は微小なレベルであるので、第１出力端子Ｔ２と第２出力端子Ｔ３は、ほぼ同一レベルの２分配出力となる。
【００６０】
このように本発明の第５実施形態に係るブースター４００によれば、切替スイッチ１２を切替えた場合に、第１出力端子Ｔ２が高出力で第２出力端子Ｔ３がモニタ出力となる出力状態か、第１出力端子Ｔ２が高出力で第２出力端子Ｔ３が分岐出力となる出力状態か、第１出力端子Ｔ２と第２出力端子Ｔ３が２分配出力となる出力状態かが切替えられる。従って、第１出力端子Ｔ２及び第２出力端子Ｔ３のいずれの端子も空き端子とならずに出力端子を有効利用できる。また、ブースター４００の設置時に外部の分配器または分岐器を省くことが可能となり、設置作業を容易にすることもできる。
【００６１】
以上、本発明に係る実施形態について説明したが、本発明の範囲はこれに限定されるものではなく、発明の主旨を逸脱しない範囲で種々の変更を加えて実行することができる。
【００６２】
例えば、上記各実施形態におけるアンプＡＰは省略することも可能である。また、上記実施形態において、分岐出力レベルは例として−１２ｄＢとしたが、これに限ったものではなく、例えば−１０ｄＢや−１５ｄＢにすることもできる。
【００６３】
また、例えば、本発明の高周波機器としては、アクティブ型のブースターに限らず、増幅機能を有さないパッシブ型の高周波機器に適用することも可能である。
【符号の説明】
【００６４】
１  切替スイッチ
２  アッテネータ
３  分配器
４  切替スイッチ
５  分配器
６  アッテネータ
７  分配器
８  切替スイッチ
９  アッテネータ
１０  モニタ用アッテネータ
１１  分岐用アッテネータ
１２  切替スイッチ
１３  分配器
２０  切替スイッチ
２１  分岐器
２２  分配器
２３  モニタ用アッテネータ
ＡＰ  アンプ
Ｃ１〜Ｃ２２  コンデンサ
Ｌ３、Ｌ１１  高周波阻止コイル
Ｌ１２  コイル
Ｄ１、Ｄ１０、Ｄ１１  ダイオード
Ｒ１〜Ｒ３  抵抗
Ｔ１  入力端子
Ｔ２  第１出力端子
Ｔ３  第２出力端子
Ｖｃｃ  直流電源
５０、１００、２００、３００、４００、５００  ブースター
【図１Ａ】
0005604678.tif 000002
【図１Ｂ】
0005604678.tif 000003
【図１Ｃ】
0005604678.tif 000004
【図２】
0005604678.tif 000005
【図３】
0005604678.tif 000006
【図４】
0005604678.tif 000007
【図５】
0005604678.tif 000008
【図６】
0005604678.tif 000009